(57)【要約】【課題】サンプル中の３−ヒドロキシ酪酸のレベルを測定するための試薬と方法が提供される。【解決手段】その試薬は、フェリシアン化物塩、サンプル中の３−ヒドロキシ酪酸の酸化を触媒する上で有効な触媒量の第１の酵素、前記第１の酵素に対応する補因子、および前記補因子の酸化と前記フェリシアン化物の還元を触媒する上で有効な触媒量の第２の酵素を含む。その試薬を、試薬がサンプルと接触したときに３−ヒドロキシ酪酸のレベルを指示する電気出力信号を生じるテストストリップに組み込む。【選択図】図１
2007147638.tif 000002
【特許請求の範囲】
【請求項１】
サンプル中の３−ヒドロキシ酪酸を検出するテストストリップ装置において、
基板；
前記基板上に配置された少なくとも１個の電極；ならびに
前記少なくとも１個の電極と連通している試薬であって、前記サンプル中の３−ヒドロキシ酪酸のレベルを指示する電気出力信号を発生させる上で有効な形で前記サンプルと反応性であり、ヘキサシアノ鉄(III)酸塩、前記サンプル中の３−ヒドロキシ酪酸の酸化を触媒する上で有効な触媒量のヒドロキシ酪酸デヒドロゲナーゼ、前記ヒドロキシ酪酸デヒドロゲナーゼに対応する補因子、および還元型の前記補因子の電気化学的酸化を触媒する上で有効な触媒量の第２の酵素を含んでなる乾燥試薬フィルムである試薬
を有することを特徴とする前記装置。
【請求項２】
前記第２の酵素がジアホラーゼである請求項１に記載の装置。
【請求項３】
前記補因子が、ＮＡＤ＋、ＮＡＤＰ＋、ＮＡＤＨ２およびＮＡＤＰＨ２からなる群から選択される請求項１または２に記載の装置。
【請求項４】
前記補因子がＮＡＤ＋である請求項３に記載の装置。
【請求項５】
前記ヘキサシアノ鉄(III)酸塩がヘキサシアノ鉄(III)酸カリウムである請求項１に記載の装置。
【請求項６】
前記試薬がさらに充填剤を含む請求項１に記載の装置。
【請求項７】
前記充填剤が金属酸化物である請求項６に記載の装置。
【請求項８】
前記試薬がさらに、ポリエチレングリコール／ポリエチレンオキサイド、ポリビニル−アルコール、ポリビニル−ピロリジン、ポリスチレンスルホネート、ポリ酢酸ビニルおよび酢酸ビニルのマイクロエマルションからなる群から選択されるポリマーを含む請求項１に記載の装置。
【請求項９】
前記試薬がさらに界面活性剤を含む請求項１に記載の装置。
【請求項１０】
前記界面活性剤が、スルホコハク酸ジオクチルナトリウムおよび分岐−ノニルフェノキシポリ（エチレン−オキシ）エタノールからなる群から選択される請求項９に記載の装置。
【請求項１１】
前記試薬がさらに無機バッファーを含む請求項１に記載の装置。
【請求項１２】
前記バッファーがピロリン酸塩である請求項１１に記載の装置。
【請求項１３】
前記試薬がさらに、フラビンモノヌクレオチド、アデノシン二リン酸、マグネシウムイオン、乳糖、およびラフィノースからなる群から選択される安定剤を含む請求項１に記載の装置。
【請求項１４】
サンプル中の３−ヒドロキシ酪酸のレベルを指示する情報を決定する方法において、
請求項１〜１３のいずれか１項に記載のテストストリップ装置を準備する段階；
前記テストストリップ装置の試薬を前記流体サンプルと接触させる段階；ならびに
前記流体サンプル中の３−ヒドロキシ酪酸のレベルを指示する電気的出力を前記試薬から発生させるのに充分な直流電位差を、前記電極間に印加する段階
を有することを特徴とする方法。
【請求項１５】
前記印加段階を、前記接触段階の少なくとも約１５秒後に行う請求項１４に記載の方法。
【請求項１６】
前記印加段階を、前記接触段階の約５０秒後に行う請求項１５に記載の方法。
【請求項１７】
アナライトおよび試薬のバックグラウンドインピーダンスを測定する段階をさらに有する請求項１４に記載の方法。
【発明の詳細な説明】
【技術分野】
【０００１】
本発明は、流体中のアナライト濃度の測定に関するものであり、より具体的には、そのような測定で用いられる電流滴定バイオセンサーに関する。最も詳細には本発明は、流体中の３−ヒドロキシ酪酸レベル測定で使用される電流滴定バイオセンサーに関する。
【背景技術】
【０００２】
３−ヒドロキシ酪酸（以下、「３−ＨＢＡ」）は、炭水化物の利用障害または供給不足が関与する条件下で肝臓において脂肪酸の不完全代謝によって産生される。炭水化物摂取が制限される場合のように代謝される脂肪量が増えると、３−ＨＢＡ、アセトンおよびアセト酢酸などのケトン体の濃度が上昇し得る。ケトン体が血液中に過剰に存在する場合、その状態はケトーシスと呼ばれる。
【０００３】
糖尿病は、ケトーシスに関連する障害である。糖尿病は、グルコース代謝の障害である。インシュリン欠乏性糖尿病においては、脂肪酸を利用して身体のエネルギー要求を満足するだけのグルコース代謝障害がある。過剰量の脂肪酸が代謝されると、ケトン体が血液中に蓄積されてケトーシスとなり、尿中に排泄されてケトン尿症となる。さらに、ケトン体は通常の塩基性イオンとともに身体から排泄されることで、身体の二酸化炭素結合力が低下し、全身性アシドーシス、すなわち血液の酸性度上昇を生じる。ケトアシドーシスという用語は、糖尿病に関連するケトーシス状態とアシドーシス状態が合併した状態を指す。高３−ＨＢＡレベルは、ケトアシドーシスの診断指標となる。
【０００４】
糖尿病患者におけるケトアシドーシスの検出は、それがインシュリン投与その他の管理法における変更の必要性を示す場合が多いという点で有用である。サンプル中のケトン体の存在または濃度を測定する一つの手法は、そのサンプルについて比色定量アッセイを行うというものであった。例えば、液体サンプルと接触すると色変化を生じる指示試薬組成物とそのサンプルとを接触させることで、ケトン体の存在または濃度を測定することが知られている（例えば、米国特許第4803158号、同5326697号、同5510245号および同5190863号参照）。
【０００５】
ケトン体についての電流滴定アッセイも用いられている（例えば、1998年10月16日出願のPCT/US98/21815およびBatchelor, et al., Amperometric Assay for the Ketone Body Hydroxybutyrate, Analytic Chimica Acta. 289-294 (1989)参照）。これらのアッセイは、３−ＨＢＡの酸化を触媒する酵素、酸化可能な形態の補因子、および例えばキノン類などの酸化剤を利用するものである。
【発明の開示】
【０００６】
本発明のバイオセンサーと方法によってユーザーは、グルコース検査にも使用される電流滴定計で血中ケトンを調べることが可能となる。本発明のバイオセンサーテストストリップは、市販の電流滴定グルコース測定センサーと適合するものである。そのテストストリップは、サンプル中の３−ヒドロキシ酪酸（以下、「３−ＨＢＡ」）レベルを指示する電気出力信号を発生させる上で有効な形でサンプルと反応性である試薬を含む。その試薬は、フェリシアン化物塩、サンプル中の３−ＨＢＡの酸化を触媒する上で有効な触媒量の第１の酵素、その第１の酵素に対応するメディエータまたは補因子、および還元型の補因子の電気化学的酸化を触媒する上で有効な触媒量の第２の酵素を含む。
【０００７】
本発明のテストストリップは、互いに絶縁された少なくとも２つの導電路を有する。各導電路は、前記試薬と電気的に接触するようになっている。導電路の一方は、試薬からの電子伝達を受け入れ、そこで電子伝達の量がサンプル中の３−ＨＢＡレベルを指示する。
【０００８】
市販の電流滴定グルコース測定センサーと適合する、サンプル中の３−ＨＢＡレベルを指示する情報を決定する方法も提供される。その方法は、フェリシアン化物塩、サンプル中の３−ＨＢＡの酸化を触媒するのに有効な触媒量の第１の酵素、前記第１の酵素に対応する補因子、および還元型の前記補因子の電気化学的酸化を触媒する触媒量の第２の酵素を含む試薬とサンプルとを反応させる段階を有する。その試薬は、サンプル中の３−ＨＢＡレベルを指示する電気的出力を生ずる。次にその電気的出力を測定し、測定された電気的出力を含む情報を用いてサンプル中の３−ＨＢＡレベルを求める。
【０００９】
さらに本発明は、サンプル中の３−ＨＢＡレベルを指示する情報を決定する方法を具体化する。その方法は、作用電極および対極ならびに、それらの電極と連通しており、フェリシアン化物塩、流体サンプル中の３−ＨＢＡの酸化を触媒する上で有効な触媒量の第１の酵素、前記第１の酵素に対応する補因子、および還元型の前記補因子の電気化学的酸化を触媒する上で有効な触媒量の第２の酵素を含む試薬を有するセンサーを準備する段階を有する。前記試薬を流体サンプルと接触させ、流体サンプル中の３−ＨＢＡレベルを指示する試薬から電気的出力を発生させるだけの直流電位差を電極間に印加する。
【００１０】
当業者であれば、以下の詳細な説明および現在わかっている本発明を実施する上での最良の形態を例示する好ましい実施形態を考慮することで、本発明の別の特徴および利点が明らかになろう。
【発明を実施するための最良の形態】
【００１１】
電気化学の分野は、多くの金属、金属イオンおよび共役分子が電子を容易に受容および／または放出する現象に基づいたものである。化合物は、その化合物が電子を放出または受容する可能性が等しいエネルギーレベルである標準電位を有する。化合物が酸化されるか還元されるかは、その化合物に加わる電位がそれの標準電位より大きいか小さいかによって決まる。本発明は、電位を印加し、移動する電子を電流として集める電流滴定と称される電気化学的方法に基づいたものである。
【００１２】
ヘキサシアノ鉄(III)酸塩をメディエータとして用い、サンプル中の３−ＨＢＡレベルを指示する電気出力信号を発生させる電流滴定バイオセンサーテストストリップに組み込むことができることが発見された。３−ＨＢＡ用テストストリップでのメディエータとしてのヘキサシアノ鉄(III)酸塩の使用は、対応するテストストリップが既存の電流滴定グルコース計と適合し、ケトン類とグルコースを１個の計器で試験することが可能となることから有利である。本明細書および特許請求の範囲で使用されるメディエータという用語は、電気化学的な可逆的酸化−還元反応をすることができる酸化剤を含むものである。酸化型のメディエータは、酵素、アナライト（またはアナライト反応から生成する補因子）および酸化型のメディエータが関与する反応から１以上の電子を受容できるものでなければならない。
【００１３】
これらのメディエータは、対象とするサンプル中の３−ＨＢＡレベルを指示する電気的出力を生じる３−ＨＢＡなどのアナライト用の電流滴定バイオセンサーテストストリップの製造に用いることができる。テストストリップは、全血、血清、血漿などの生体サンプルを受容するように形成する。テストストリップは、メディエータ、サンプル中の３−ＨＢＡの酸化を触媒する上で有効な触媒量の第１の酵素、前記第１の酵素に対応する補因子および還元型の前記補因子の電気化学的酸化を触媒する上で有効な触媒量の第２の酵素を含む試薬をもっている。
【００１４】
試薬組成物は、サンプル中の３−ヒドロキシ酪酸（以下、「３−ＨＢＡ」）レベルを決定するバイオセンサーテストストリップ装置に組み込む。理論に拘束されるものではないが、試薬組成物は２元反応機構で３−ＨＢＡと反応するものと考えられる。第１の反応には、サンプル中の３−ＨＢＡの実質的な酸化が関与し、第２の反応には、第１の反応から生じた１以上の還元型反応生成物の電気化学的酸化が関与する。電気化学的酸化によって電流が生じ、その強さが血液サンプル中の３−ＨＢＡ量を指示する。試薬組成物には、メディエータであるフェリシアン化物、酵素である３−ヒドロキシ酪酸デヒドロゲナーゼおよびジアホラーゼ（それぞれ、前記反応の一方を触媒する）ならびに補因子ＮＡＤ＋が含まれる。従って、サンプル中の３−ＨＢＡの存在または濃度に関するアッセイでは、以下の反応図式に示したように、３−ヒドロキシ酪酸デヒドロゲナーゼおよびジアホラーゼが、順に反応する。
【００１５】
３−ＨＢＡ＋ＮＡＤ＋→アセト酢酸＋ＮＡＤＨ＋Ｈ＋ （１）
ＮＡＤＨ＋フェリシアン化物→ＮＡＤ＋＋フェロシアン化物 （２）
ここで、（１）の反応を３−ヒドロキシ酪酸デヒドロゲナーゼが触媒し、（２）の反応をジアホラーゼが触媒する。
【００１６】
この原理を使用すると、アナライト３−ＨＢＡを含むサンプルを試薬に加えたとき、アナライトは酸化され、酸化型の補因子が還元される。この補因子は次に、第２の酵素と相互作用し、酸化型メディエータが還元される。その反応を、アナライト濃度を正確に決定するのにそれ以上時間が必要ないところまで進行させる。
【００１７】
反応完了後、電源（例：電池）によって、作用電極と対極の間に電位差を印加する。電位差を印加する際、対極での酸化型メディエータの量および電位差は、作用電極表面での還元型メディエータの拡散律速的電気酸化を起こすのに充分なものでなければならない。電流測定計で、作用電極表面での還元型メディエータの酸化によって生じた拡散律速電流を測定し、得られた電流測定値をサンプル中の３−ＨＢＡ濃度に関係付ける。
【００１８】
従って、本発明の試薬を用いるテストストリップおよび方法により、ユーザーは、血中３−ＨＢＡレベルを決定する簡便かつ容易な方法が得られる。このテストストリップおよび方法は、ユーザーが血糖検査用および３−ＨＢＡ検査用に別個の装置を購入または使用しなければならないという短所を実質的になくすものである。前記テストストリップ装置は、クリスモア（Crismore）らに対する米国特許第5997817（その開示内容は、参照により本明細書に組み入れられる）に記載のテストストリップと同様の構成を有する。しかしながら、本発明のテストストリップが、本明細書の開示の範囲を逸脱しない限りにおいて、ポルマン（Pollmann）らに対する米国特許第5288636号およびプリチャードら（Pritchard）に対する同5762770号に開示のバイオセンサーならびに非常に多くの市販のグルコース測定センサーの構成と同様であることが可能なことは明らかである。
【００１９】
図１〜２について具体的に説明すると、本発明のバイオセンサーテストストリップには、第１の絶縁基板１、第２の絶縁基板７、基板１、７間に位置する導電路５、６、検査試薬12、検査試薬12とほぼ位置を合せて配置された概して親水性のフィルム25およびフィルム25を覆うように位置する天板13がある。後述するように、試薬12は、本発明の試薬組成物を含む。さらに、テストストリップは材料のロールから製造される。従って、テストストリップを構築する上での材料の選択では、ロール加工できるように充分な可撓性を有するが、最終のテストストリップに有用な剛性を与えるのに充分な硬さを有する材料を使用する必要がある。
【００２０】
第１の基板１には、導電路５、６を支持する第１の表面22と反対側の第２の表面23がある（図１参照）。第１の基板１にはさらに、凹部２、切欠部３、ならびに第１および第２の表面22と23間に延びる通気孔４がある。基板１は、非常に多様な絶縁材料から構築することができる。望ましい電気的および構造的特性を提供する絶縁材料の例としては、ビニルポリマー類、ポリイミド類、ポリエステル類およびスチレン系材料などがあるが、これらに限定されるものではない。第１の絶縁基板１は、デュポン社（DuPont; 3411 Silverside Road, PO Box 15391, Wilmington, Delaware 19850)から販売されているポリエステルである厚さ約0.18mm（７ミル）のMELINEX（登録商標）329プラスチックである。
【００２１】
図１に示したように、導電路５および６は、第１の絶縁基板１の第１の表面22上にある。導電路５は作用電極であることができ、導電路６は対極であることができる。導電路５、６は、導電性材料から構成されている。具体的には導電路は、パラジウム、白金、金、炭素およびチタンから構築することができる。導電路６は、パラジウム、白金、金、銀、銀含有合金、ニッケルクロム合金、炭素、チタンおよび銅から構築することができる。
【００２２】
導電路５および６は、ポリイミドまたはポリエステルなどの絶縁性裏材上に析出させて、テストストリップの取り扱いおよび製造時における電極材料の破壊の可能性を減らす。そのような導電路の例としては、米国コネチカット州TECHNI-METから金、パラジウムまたは白金で予めコーティングされて入手可能な日本の宇部興産からのポリイミドUPILEX上の５Ω／□未満の表面抵抗を有するパラジウムコーティングがある。
【００２３】
導電路５および６は、バイオセンサーテストストリップの電極となる。それらの電極は、一方の電極での電気化学的事象が他方の電極での電気化学的事象を妨害しないように十分に離れていなければならない。電極５および６間の距離は、約1.2mmである。
【００２４】
図１に示したテストストリップでは、導電路５が作用電極となり、導電路６が対極もしくは参照電極となる。導電路６は、銀／塩化銀などの代表的な参照電極材料で製造されている場合には参照電極となる。導電路５は、パラジウム製の作用電極であり、導電路６は、やはりパラジウム製であって、作用電極と実質的に同じ大きさの対極である。
【００２５】
テストストリップにおいて導電路６と通気孔４との間に追加の導電路が配置されている３電極配置も可能である。３電極配置では、導電路５が作用電極となり、導電路６が対極となり、導電路６と通気孔４の間の第３の電極が参照電極となる。
【００２６】
導電路５、６はテストストリップの電極となる。導電路５、６は、リール（不図示）から巻き出し、予め約1.5mm幅にカットする。次に導電路５、６を、基板１の第１の表面22と貼り合わせる。導電路５、６を、基板１の表面22上に置いたユピレックス（Upilex）裏材（Courtalds−Andus Performance Filmsareから販売）上に乗せて、ユピレックス裏材が表面22に隣接するようにする。直流電位励起の際、還元型メディエータは主に作用電極で酸化され、対極は主として回路を完成させる働きを行う。
【００２７】
第２の基板７は導電路５、６に重なっている。第２の基板７は、第１の表面８と導電路５、６に向き合う第２の表面９を有する。図１に示したように、第２の基板７は、第１および第２の開口10、11を有するように形成されている。第１の開口10は、テストストリップの試薬12と混合した後におけるサンプルの何らかの電気的特性を測定する計器（不図示）との電気的接続を得るため、導電路５、６の一部を露出させる。第２の開口11には、キャピラリーテストチャンバの周囲を定める縁部がある。さらに、第１の基板の凹部２とほぼ位置を合せて配置された凹部19が、第１の開口11から第２の基板７の縁部まで延びている。第２の基板７は、ホットメルト接着剤などの接着剤によって、第１の基板１および導電路５、６と貼り付けられている。そのような接着剤の例としては、DYNAPOL（登録商標）S-1358接着剤（Huls America, Inc., Somerset, NJ, USから販売）があるが、これに限定されるものではない。
【００２８】
図３および４に示したように、天板13は第１の表面８の一部および第２の開口11を覆っている。天板13には、第１の表面16ならびに第２の基板７の第１の表面８に貼り合わされた第２の表面17がある。天板13はさらに、第２の基板７の第２の開口11とほぼ位置を合せて配置された窓18を有する。窓18は、導電路５の全幅および導電路６の幅の少なくとも約10％を窓18が覆うような寸法および位置を有する。さらに、窓18が透明に維持されるように、実質的に不透明なインクをパターン27で第１の表面16上に印刷する。再度図１について説明すると、天板13には、凹部14および窓18に形成された切欠部15があり、それらの形状および位置は、第１の基板の凹部２および切欠部３とほぼ位置が合うようになっている。切欠部２、15は、底辺の長さ約0.6〜1.3mmおよび頂点の角度約70〜110°となるように該当する縁部から切り取ったほぼ三角形の切り込みと定義することができる。切欠部の寸法および形状は、本明細書の開示に従って変えることが可能であることは明らかであろう。
【００２９】
天板13は、厚さ約２ミル（0.05mm）〜６ミル（0.15mm）の透明もしくは半透明のポリエステルホイルなどのプラスチック材料から構築することができる。天板13は、感圧接着剤をコートしてあるMELINEX（登録商標）351（不透明とするために二酸化チタンを含んだポリエステル）から形成されている。好適な接着剤の例としては、3M 9458アクリル接着剤（3M, Identification and Converter Systems Division, St. Paul, MN, USから販売）があるが、これに限定されるものではない。
【００３０】
さらに天板13は、本来的に親水性であるか、あるいは天板13が、第２の基板７の方に向いた親水性表面を有するように改質されているものである。表面17は、表面17の接着剤に貼り合わされた親水性フィルム25によって改質されている。親水性フィルム25は、例えば洗剤を含むコーティング剤または親水性ポリマーの光架橋マトリックスでフィルムをコーティングすることによって親水性とされる。そのフィルムはまた、プラズマ処理またはスルホニル基もしくは窒素基による表面のプラズマ誘導共有結合的改質によって改質することもできる。親水性フィルム25は、VITEL(The Goodyear Tire & Rubber Co., Akron, OH, US)およびRHODAPEX（登録商標）(Rhodia, Cranbury, NJ, US)界面活性剤の混合物で、厚さ約４ミル（0.1mm）でコーティングする。
【００３１】
キャピラリーテストチャンバは、親水性フィルム25が貼り付けられた天板13の第２の表面17、第２の基板７の第２の開口11の縁部および基板１の第１の表面22によって定められる。テストチャンバは、導電路５、６の露出表面に試薬12を塗布するため、導電路５、６の一部を露出させるように配置されている。そのキャピラリーテストチャンバの長さおよび幅は開口11の長さおよび幅によって決定され、テストチャンバの高さは第２の基板７の厚さによって決定される。テストチャンバは、一辺約3.2mmおよび他方の辺約6.7mmの長方形に形成される。導電路５、６が露出する程度によって、各電極の表面積が決まる。作用電極および対極はそれぞれ、約５mm２という実質的に同等の表面積を有する。しかしながら、導電路５、６の露出程度は、第２の開口11が各導電路５、６の幅の少なくとも約10％を露出させる限りにおいて変動可能であることは明らかであろう。
【００３２】
３−ＨＢＡ用の試薬12を、それが作用電極５を覆うようにテストチャンバ内に配置する。試薬12は、テストチャンバの床表面全体にわたってほぼ均一な厚さを有するフィルムとして設ける。そのとき試薬12はテストチャンバの内部に親水性表面を向けることになる。試薬12は第１の基板１の通気孔４とほぼ位置を合せた通気口を有するように形成される（図３参照）。通気孔および通気口は、約1.8×0.5mmの寸法をもっており、テストチャンバから空気を逃がすことができる。
【００３３】
本発明の試薬12を組み込んだテストストリップは、米国特許第5997817号（この開示内容は、参照によって本明細書に組み入れられるものとする）に記載の方法によって製造される。その製造方法の変法および改良法が想到されるが、それは本開示の範囲を逸脱するものではないことが想到される。
【００３４】
試薬12は、ヒト血液サンプル中の３−ＨＢＡ測定用に調製される。試薬12は、サンプル中の３−ＨＢＡレベルを指示する電気出力信号を発生させる上で有効な形でサンプルと反応し得る。試薬12は、メディエータ、複数の酵素および補因子を含む。試薬12はさらに、必要に応じて、耐久性を与え、親水性を与えるフィルム形成剤を含む。別段の断りがない限り、以下に挙げる成分の濃度はいずれも、試薬をテストストリップに付着および乾燥する以前の湿った試薬での所定の物質の濃度を指すことは明らかであろう。
【００３５】
前述のように、試薬12での使用に好適なメディエータは、電気化学的な可逆的酸化−還元反応をすることができるものである。酸化型のメディエータは、酵素、アナライト（またはアナライト反応から生成する補因子）および酸化型メディエータが関与する反応から、少なくとも１個の電子を受け取ることができるものでなければならない。メディエータは、例えばヘキサシアノ鉄(III)酸カリウムなどのヘキサシアノ鉄(III)酸塩である（以下、「フェリシアン化物」）。フェリシアン化物はまたグルコース測定センサーのテストストリップにも組み込まれることから、本発明の３−ＨＢＡテストストリップは、対応するグルコーステストストリップと同じ機器で機能するので有益である。対応するグルコーステストストリップの例は、米国特許第5997817号（その開示内容は、参照により本明細書に組み入れられる）に記載されている。
【００３６】
測定したいアナライトの濃度範囲ならびに試薬およびサンプルを介したメディエータの拡散特性が、試薬中のメディエータの必要量を決定する。具体的には、還元型メディエータの量は、電気還元時に生じる電流が作用電極表面での酸化型メディエータの還元によって制限されるようにする上で十分なものでなければならない。一般に、メディエータの溶解度および過剰のメディエータが生成物の安定性に与える影響によって、メディエータ濃度の上限が決まる。３−ＨＢＡ分析用の試薬は、容量約3.5〜７マイクロリットル（μＬ）のヒト全血のサンプル中の３−ＨＢＡレベルを測定するのに、329.26mg/mmolとして、約112.8mM〜56.4mMのフェリシアン化物を含む。テストストリップ上には、７μＬより多いサンプルを使うことができるが、溶解試薬中のフェリシアン化物の濃度はテストチャンバに入るサンプルの量のみに依存することは明らかであろう。しかしながら、フェリシアン化物の濃度は、テストチャンバに入るヒト全血の容量に応じて変動することも明らかであろう。
【００３７】
本発明の３−ＨＢＡ試験試薬はさらに、酵素、アナライトおよび酸化型メディエータが関与する反応を触媒するのに充分な種類および充分な量の複数の酵素を含む。試薬での使用に好適な１つの酵素は、サンプル中での３−ＨＢＡの酸化を触媒する上で有効であり、第２の酵素は還元型補因子の電気化学的酸化を触媒する上で有効である。第１の酵素はデヒドロゲナーゼであり、第２の酵素はジアホラーゼである。より詳細には、第１の酵素は、市販の（Toyobo Co., Ltd. Biochemical Operations Department, Osaka, JapanおよびRoche Diagnostics Corporation, Roche Molecular Biochemicals, Indianapolis, IN, USから）３−ヒドロキシ酪酸デヒドロゲナーゼである。ジアホラーゼは市販されている（Roche Diagnostics Corporation, Roche Molecular Biochemicals, Indianapolis, IN, USから）。
【００３８】
３−ＨＢＡ分析用に設計されたテストストリップの場合、試薬１リットル当たり約0.20〜20×10６単位の３−ヒドロキシ酪酸デヒドロゲナーゼおよび約0.1〜10×10６単位のジアホラーゼが含まれ、反応は最低約１５秒進行させてから、電位を印加する。より好ましくはその反応を最低約５０秒進行させてから、電位を印加する。しかしながら、本明細書の開示の範囲を逸脱しない限りにおいて、試薬に含まれる酵素の量は、所望の安定性、電極の幾何形状および試薬フィルムの物性に応じて変動可能であることは明らかであろう。
【００３９】
さらに試験試薬は、酵素およびメディエータと共働する補因子を含む。好適な補因子の例には、ＮＡＤ＋、ＮＡＤＰ＋、ＮＡＤＨ２、ＮＡＤＰＨ２およびフェナジンメトサルフェートなどがあるが、これらに限定されるものではない。好ましくは補因子はＮＡＤ＋である。ＮＡＤ＋は市販されている（Roche Diagnostics Corporation, Roche Molecular Biochemicals, Indianapolis, IN, USから）。３−ＨＢＡ分析用の試薬には、容量約3.5〜７マイクロリットル（μＬ）のヒト全血サンプル中の３−ＨＢＡレベルを測定する場合、663.44g/molとして、約21.1μＭ〜43μＭのＮＡＤ＋が含まれる。７μＬより多いサンプルをテストストリップに適用することができるが、溶解試薬中のＮＡＤ＋の濃度はテストチャンバに入るサンプルの量にのみ依存することは明らかであろう。しかしながら、ＮＡＤ＋の濃度はテストチャンバに入るヒト全血の容量に応じて変動することも明らかであろう。
【００４０】
メディエータの溶解性を向上させるため、各種「充填剤」物質を試薬に含有させることができる。本明細書において充填剤とは、試薬調合時に試薬マトリックスを通って均一に分散する顕微鏡的粒径の不溶性粒子状物と定義される。好ましい充填剤は、印加した電位で、あるいはメディエータの電位との関係で電子の受容や供与を行わない金属酸化物である。試薬12には、約0.2〜2.0％（湿重量：湿重量）の量で存在する二酸化チタンなどの充填剤が含まれ、好ましくは約0.22％（湿重量：湿重量）である。
【００４１】
充填剤を用いる場合、通常ポリマーなどの物質を試薬に含ませて、試薬12の粘度を上昇させる。試薬12には、ポリマーNATROSOL 250K（ヒドロキシエチルセルロース、Aqualon Oil Field Chemicals, Houston, TX, USから販売）を含ませる。NATROSOL 250Kの量は約0.05〜0.5％（湿重量：湿重量）の範囲で変動し得るものであり、好ましい濃度は約0.19％（湿重量：湿重量）である。各種の市販の増粘剤を本発明に従って用いることができることは明らかであろう。
【００４２】
親水性ポリマーは、試薬に対して耐久性と親水性の両方を与えることができる。許容されるポリマーの例をいくつか挙げると、ポリエチレングリコール／ポリエチレンオキサイド、ポリビニル−アルコール、ポリビニル−ピロリジン、ポリスチレンスルホネート、ポリ酢酸ビニルおよび酢酸ビニルのマイクロエマルションなどがあるが、これらに限定されるものではない。平均分子量約100〜900キロダルトンのポリエチレンオキサイド（Union Carbide Corporation, Danbury, CT, US）は約0.2％〜２％（湿重量：湿重量）の濃度で使用する。試薬12には、約0.59％（湿重量：湿重量）で、平均分子量約300キロダルトンのポリエチレンオキサイドを含ませる。
【００４３】
界面活性剤は通常、表面張力を調節（低下）するために試薬に含ませる。許容される洗剤の例を挙げると、DONS（スルホコハク酸ジオクチルナトリウム）、分岐−ノニルフェノキシポリ（エチレン−オキシ）エタノール（Igepal CO-630としてRhone-Poulenc, Collegeville, PAから、またはTRITON X-100（登録商標）としてRoche Diagnostics, Biochemicals, Indianapolis, INから販売）があるが、これらに限定されるものではない。試薬中の洗剤の品質および種類は、表面張力を約20〜70ダイン／cmまで低下させるのに充分なものとする。サンプルを血液とする場合、洗剤の全体濃度を約0.3％未満のレベル（洗剤の種類に依存する）に制限することで、細胞の望ましくない溶解を回避するべきである。グルコースデヒドロゲナーゼを用いて３−ＨＢＡのアッセイを行うためのテストストリップの場合、TRITON X-100（登録商標）を、約0.05％（湿重量：湿重量）以下の濃度で存在させるが、約0.035％（湿重量：湿重量）が好ましい。
【００４４】
試薬12はバッファーを含むことができる。バッファーは、酵素の安定性および活性がともに至適となるｐＨを提供および維持するのに充分な種類および量とする。酵素の活性とは、アナライトとメディエータの間、または複数酵素試薬の場合はアナライトとアナライト誘導体の間での反応を酵素が触媒できる能力を指す。酵素の安定性とは、経時的および試薬が熱および湿気などの各種形態のストレスに曝された場合におけるその活性の保存性を指す。さらにバッファーは、還元型メディエータより低い酸化電位を有するものであってはならない。好適なバッファーの例としては、ｐＨが約7.8〜9.0、最も好ましくは約8.7であるピロリン酸塩類などがあるが、それに限定されるものではない。好適なピロリン酸塩類の例としては、ピロリン酸二ナトリウムおよびピロリン酸四ナトリウムなどがあるが、それらに限定されるものではない。酵素活性に至適なｐＨがサンプルのｐＨと大きく異なる場合、バッファーの濃度は、再水和試薬およびサンプルの最終ｐＨを所望のレベルとするのに充分なものでなければならない。通常使用されるバッファー濃度は、試薬中で約50〜200mMである。好ましい濃度は約53.6mMである。
【００４５】
試薬はまた、各種成分を安定化させる物質を含むこともできる。本発明の試薬で補因子と組み合わせる酵素用の許容される安定剤は、フラビンモノヌクレオチド、アデノシン二リン酸、マグネシウムイオン、乳糖、トレハロースおよびラフィノースである。試薬12は、約0.5〜５％（湿重量：湿重量）、好ましくは約0.68％（湿重量：湿重量）の濃度でラフィノースなどの安定剤を含む。
【００４６】
乾燥試薬フィルムの厚さは、固有の化学特性を加味して、ヘマトクリット変動による妨害に対する系の感受性が軽減されるようなものとする。フィルムの厚さ（湿った試薬分配容量の分配表面積に対する比によって測定）は、試薬約10μＬが面積約22.5mm２に分配されるようなものとする。以下に記載の試薬からは、主要なポリマーとしてポリエチレンオキサイドを用いることにより、またフィルム厚と組み合わせて、ヘマトクリット変動に対する感受性が低いテストストリップが得られる。
【００４７】
アナライトである３−ＨＢＡを含むサンプルを試薬に加えると、アナライトは酸化され、酸化型補因子は還元される。次にその補因子は第２の酵素と相互作用し、酸化型メディエータが還元される。その反応は、アナライトおよび酸化型メディエータの利用がアナライト濃度の正確な測定にそれ以上の時間が必要なくなるレベルに到達する時点まで進行させる。このインキュベーション時間中、電極に小さい交流電位を印加して、インピーダンスのシフトによる妨害の程度を確認することが必要な場合がある（例えば、国際公開番号WO99/32881として1999年７月１日に公開された国際特許出願PCT/US98/27203（その開示内容は、参照によって本明細書に明瞭に組み込まれるものとする）参照）。
【００４８】
アナライトの酸化および酸化型補因子の還元を完結させる。本明細書および特許請求の範囲を通じて使用される完結という用語は、アナライト、補因子および酵素が関与する反応が、１以上の還元反応生成物を生成する上で十分であり、１以上の還元型反応生成物、酵素およびメディエータが関与する反応が、作用電極表面でメディエータの酸化によって発生する拡散律速電流に対してアナライト濃度を関係付ける上で十分であることと定義される。
【００４９】
反応完結後、作用電極と対極の間に電位差を印加して、作用電極表面で還元型メディエータの拡散律速電気酸化を生じさせる。電流測定計により、作用電極表面での還元型メディエータの酸化によって生じる拡散律速電流を測定する。測定電流は、以下の要件が満足されている場合、サンプル中の３−ＨＢＡの濃度と正確に関係付けることができる。
【００５０】
１．還元型メディエータの酸化速度が、作用電極表面への還元型メディエータの拡散速度によって支配される。
【００５１】
２．発生電流が、作用電極表面での還元型メディエータの酸化によって制限される。
【００５２】
本発明のテストストリップは、可逆性の高いメディエータを含む試薬12を用い、拡散律速電気酸化時に発生する電流が作用電極表面での還元型メディエータの酸化によって制限されるように充分な量で酸化型メディエータを試薬に含ませることによって、上記の要件を満足する。電気酸化時に発生する電流が作用電極表面での還元型メディエータの酸化によって制限されるようにするには、対極表面での酸化型メディエータの量は、常に作用電極表面での還元型の量より多くなければならない。
【００５３】
従って、本発明の試薬を用いるテストストリップおよび方法は、血液中の３−ＨＢＡレベル測定のための簡便かつ容易な手段をユーザーに提供するものである。そのテストストリップおよび方法は、ユーザーが血糖および３−ＨＢＡを検査するのに別個の機器を購入たり使用したりしなければならないという欠点を実質的になくすものである。
【００５４】
酵素であるヒドロキシ酪酸デヒドロゲナーゼおよびジアホラーゼならびにメディエータであるフェリシアン化物を利用して３−ＨＢＡ測定試薬１リットルを製造するプロトコールを以下に示す。
【００５５】
段階１：約30分間以上にわたり毎分約400回転(rpm)以上の速度で回転混合機および撹拌羽根を用いて混和しながら、脱イオン水430ｇの表面にNATROSOL K 1.90ｇを加えることで、NATROSOL(250K)の脱イオン水溶液を調製する。
【００５６】
段階２：約60分間以上にわたり約400rpm以上の速度で混合しながら段階１の溶液表面に粉末を徐々に加えることで、その溶液にポリエチレンオキサイド（平均分子量300キロダルトン）(Union Carbide 750NF)6.1ｇを分散させる。
【００５７】
段階３：段階２の混合物に、10分間以上にわたり400rpm以上の速度で混合しながら溶液表面に粉末を徐々に加えることで、ラフィノース6.8ｇを分散させる。
【００５８】
段階４：20分間以上にわたり400rpmの速度で混合しながら、ピロリン酸二ナトリウム（無水）58.8ｇおよびピロリン酸四ナトリウム（無水）73.1ｇを加えることで、段階３の混合物を緩衝する。最終ｐＨが8.7であることを確認する。この半調製物(sub-build)を、以下において「ポリマーマトリックス」と称する。
【００５９】
段階５：20分間以上にわたり600rpm以上の速度で回転混合機および撹拌羽根を用いて混合しながら、脱イオン水377.8ｇに二酸化チタン粉末2.3ｇを分散させることで、二酸化チタン懸濁液を調製する。その半調製物を、以下において「充填剤懸濁液」と称する。
【００６０】
段階６：段階５の充填剤懸濁液を、段階４のポリマーマトリックスと混合した。この混合物を混合段階の前またはその途中で、粗い（200ミクロン）メッシュで充填剤懸濁液を濾過して、大粒径で未分散の二酸化チタン分子を除去することで、その混合物を予備調製する。
【００６１】
段階７：次に、段階６の試薬にフェリシアン化カリ13.3ｇを加える。試薬を、20分間以上にわたり、あるいは最終試薬調製（段階13）の準備ができるまで、500rpm以上で混合する。このマトリックスを、以下において「試薬基材」と称する。
【００６２】
段階８：撹拌プレートおよび磁気攪拌子を用いて200rpm以上の速度で撹拌しながら、β−ヒドロキシ酪酸デヒドロゲナーゼ酵素200000単位を脱イオン水100ｇ中に分散させることで、別の溶液を調製する。
【００６３】
段階９：段階８の溶液に、ジアホラーゼ酵素200000単位を加え、10分間混合する。その溶液を、以下において「酵素溶液」と称する。得られた溶液は、最終試薬に組み入れる（段階13）準備ができるまで、約４℃〜10℃で冷蔵する。
【００６４】
段階10：塩化マグネシウム・６水和物96mgを脱イオン水50ｇに溶解させることで、別の溶液を調製する。
【００６５】
段階11：段階10の溶液に、200rpmで５分間混合しながら、補因子ＮＡＤ＋200mgを溶解させる。
【００６６】
段階12：段階11の溶液に、200rpmで５分間混合しながら、フラビンモノヌクレオチド145mgを溶かす。それを以下において、「補因子溶液」と称する。補因子溶液は、最終試薬に組み入れる（段階13）準備ができるまで、約４℃〜10℃で冷蔵する。
【００６７】
段階13：段階７の試薬基材に段階９の酵素溶液および段階12の補因子溶液を加えることで、最終試薬を調製した。最終試薬を、15分間以上にわたり400rpmの低速で撹拌した。
【００６８】
段階14：Triton X-100 0.35ｇを加え、15分間以上400rpmで撹拌することで最終試薬を完成させてから、使用に供する。
【００６９】
本発明のテストストリップは、米国特許第5997817号（その開示内容は、参照によって本明細書に組み込まれる）に記載の方法によって製造される。テストストリップに対して、３−ＨＢＡを測定するために、上記プロトコールによって製造した試薬10μＬを、テストチャンバの電極を有する表面に加えた。試薬の量は約３〜10μＬで変動可能であり、好ましい使用量は10μＬである。この試薬量は、電極の表面領域を実質的に覆うものである。得られた試薬フィルムは、３−ＨＢＡ（ヒト全血サンプル由来）の酸化およびフェリシアン化物の還元を触媒して、約60秒以内の初期インキュベーション（電位印加の前）後の３−ＨＢＡ濃度を正確かつ高精度で測定可能とするのに充分なフェリシアン化物および酵素（β−ヒドロキシ酪酸デヒドロゲナーゼおよびジアホラーゼ）を含む。
【００７０】
テストチャンバの電極を有する表面を乾燥した時に均一に分布した均質試薬層を確実に得るために、試薬をつける直前にその表面を、約0.635μｍ（1/40000インチ）のギャップで150ワットのコロナアークで処理する。そのためには、約6.5ｍ／分のプロセスラインに材料を通す。この処理によって、標的領域の表面エネルギーが上昇して、乾燥前の湿った試薬の展着が促進される。コロナアークを最長約５分間、より好ましくは約45秒未満当ててから、材料上への試薬の分配を行う。アークを当てた後試薬分配の前に、試薬の付着が望ましくないスペーサー層の表面でコロナ処理（の程度）を減らす。
【００７１】
このコロナ消散(corona dissipation)は、水がスペーサー層表面と接触するようになるが、基材層の電極を有する表面とは接触しないように、脱イオン水の膜を設けることで行う。スペーサー層表面に設ける水の膜は、材料が試薬分配領域に達する前に、赤外線または機械式対流法によって乾燥するのに充分な程度の薄さのものである。
【００７２】
次に、約70℃に加熱することで試薬を乾燥させる。乾燥によって、試薬の含水量の少なくとも約98％が除去される。残留水分は、後に最終包装装置で乾燥する際に痕跡量レベルまで減少する。得られた乾燥試薬フィルムは、１ｇ当たり1000〜5000単位の酵素活性を有するものと考えられる。
【００７３】
本発明の試薬100ｇを形成するのに使用される成分の例を以下の表１に挙げるが、これらに限定されるものではない。
【表１】
2007147638.tif 000003
各個別のテストストリップは、以下のものと共に用いる。
【００７４】
１．作用電極および対極と電気的に接続され、作用電極と対極の間に作用電極表面で還元型メディエータの拡散律速電気酸化を起こすのに充分な電位差を供給することができる電源；ならびに
２．作用電極および対極と電気的に接続し、上記電位差を印加することで還元型メディエータの酸化によって生じる拡散律速電流を測定することができる測定計器。
【００７５】
この測定計器は通常、アナライト濃度を与えて視覚的に表示する後述のアルゴリズムを電流測定に適用するように作られている。このような電源、測定計器およびバイオセンサー系は、米国特許第4963814号、同4999632号；同4999582号および同5243516号、ならびにWO99/32881（これらの開示内容は、参照によって本明細書に明瞭に組み込まれる）に記載されている。
【００７６】
本発明の試薬を含むテストストリップを用いて、以下の段階を行うことにより、流体サンプル中のアナライト濃度を測定することができる。
【００７７】
ａ．実質的に同面積の作用電極と対極を実質的に覆う試薬と流体サンプルとを接触させる段階；
ｂ．アナライトと酸化型メディエータとの間の反応を完結させ、インキュベーション時の内部較正用に中ないし高周波数（100Hz＋）の低（強さ57mV）交流電位を用いることで、バックグラウンドインピーダンスを測定する段階；
ｃ．次に、作用電極表面で還元型メディエータの拡散律速電気酸化を起こすのに充分な直流電位差を、電極間に印加する段階；
ｄ．その後、生じた拡散律速電流を測定する段階；ならびに
ｅ．電流測定値を流体中のアナライト濃度に関係付ける段階。
【００７８】
多くの３−ＨＢＡ含有流体を分析することができる。例えば、全血、血清、尿および脳脊髄液などのヒト体液中の３−ＨＢＡを測定することができる。さらに、食品、発酵製品および環境汚染物質を含む可能性のある環境物質中で認められる３−ＨＢＡを測定することができる。
【００７９】
ヒト体液、特に全血で認められるアナライトを測定する場合、電極間に印加する電位差は、約500mV以下でなければならない。電極間に約500mVを超える電位差を印加すると、作用電極表面の酸化（パラジウムの場合）および一部の血液成分の酸化が許容できないものとなって、電流をアナライト濃度に正確・精密に関係付けることができなくなる場合がある。酸化型メディエータがフェリシアン化物である全血サンプル中の３−ＨＢＡのアッセイの場合、約150mV〜500mVの電位差を電極間に印加して、作用電極表面での還元型フェリシアン化物の拡散律速電気酸化を行うことができる。電極間には、約300mVの電位差を印加する。
【００８０】
還元型メディエータの酸化によって生じる電流は、電極間への電位差印加から約0.5秒〜30秒のいずれの時点でも測定可能である。約0.5秒未満では、拡散律速電流はまだ得られていない。約30秒後には、対流が顕著になることで、拡散律速電流の測定が妨害される。
【００８１】
流体サンプルに由来するアナライトのアッセイ時に測定される電流は、電流測定計によるアルゴリズム適用によって、サンプル中のアナライト濃度に関係付けることができる。そのアルゴリズムは、以下の例で示すように簡単なものであることができる。
【００８２】
［アナライト］＝Ｃｉ7.5＋ｄ
式中、［アナライト］は、サンプル中の３−ＨＢＡアナライトの濃度を表し（mmol/L、図５参照）；ｉは、電極間への電位差印加から9.0秒後に測定される電流（μＡ）であり；Ｃは直線の傾きであって、例えば試験Ａでは0.483であり、試験Ｂでは0.528であり；ｄは軸切片であり、例えば試験Ａでは-2.82であり、試験Ｂでは-1.23である。従って、試験ＡおよびＢでの３−ＨＢＡ濃度を以下のように求めた。
【００８３】
試験Ａ：［３−ＨＢＡ］＝電流×0.483−2.82
試験Ｂ：［３−ＨＢＡ］＝電流×0.528−1.23
既知濃度の３−ＨＢＡアナライトでの測定を行うことで、図５に示した較正曲線を得ることができる。この較正は、測定器の読取専用メモリー（ＲＯＭ）キーに保存しておき、個々のロットのバイオセンサーに適用することができる。
【００８４】
ヒト全血サンプルの３−ＨＢＡの分析方法においては、上記の試薬12に全血５μＬを加える。反応を安定なところまで進行させて、安定な濃度のフェロシアン化物の安定な濃度を得る。その間に、強さ57mVで周波数２kHzの交流電流を印加して、バックグラウンドインピーダンスを測定する。全血サンプル添加から約50秒後に、直流電位差約300mVを電極間に印加して、作用電極表面でのフェロシアン化物のフェリシアン化物への酸化を行う。電極間への電位差印加から１秒〜9.0秒において、0.5秒間隔で電流測定を行う。その電流測定値を、血液サンプル中の３−ＨＢＡ濃度に関係付ける。
【００８５】
血液サンプルの３−ＨＢＡを測定するこの例では、電流測定は、単一の固定時間ではなく、各種時点（電位差印加から１秒〜7.5秒後）で行い（前述の通り）、得られるアルゴリズムは以下の式によって表される。
【００８６】
［３−ＨＢＡ］＝Ｃ１ｉ１＋Ｃ２ｉ２＋Ｃ３ｉ３＋．．．Ｃｎｉｎ＋ｄ
式中、ｉ１は最初の測定時間（300mVの電位差印加から１秒後）で測定される電流であり；ｉ２は２回目の測定時間（300mVの電位差印加から1.5秒後）で測定される電流であり；ｉ３は３回目の測定時間（300mVの電位差印加から２秒後）で測定される電流であり；ｉｎは、ｎ回目の測定時間（この例では、300mVの電位差印加から14番目の測定時間すなわち7.5秒後）で測定される電流であり；Ｃ１、Ｃ２、Ｃ３およびＣｎは、主要成分分析(Principle Components Analysis)または部分最小二乗法(Partial Least Squares)などの多変量回帰分析法から得られる係数であり；ｄは、回帰切片（３−ＨＢＡ濃度単位）である。
【００８７】
別法として、測定サンプル中の３−ＨＢＡの濃度は、ある時間間隔（例えば、300mVの電位差印加から１秒〜7.5秒）にわたって測定時間に対して電流ｉをプロットして得られる曲線を積算することで測定期間中に移動した総電荷を得ることによって求めることができる。移動した総電荷は、測定サンプル中の３−ＨＢＡ濃度に正比例する。
【００８８】
さらに３−ＨＢＡ濃度測定値は、実際の測定時の環境温度と時間較正時の環境温度の間の差に関して補正することができる。例えば、３−ＨＢＡについての較正曲線を23℃の環境温度で得た場合、以下の式を用いることによって３−ＨＢＡ測定値を補正する。
【００８９】
補正後［３−ＨＢＡ］＝測定［３−ＨＢＡ］×（１−Ｋ（Ｔ−23℃））
式中、Ｔは、サンプル測定時の環境温度（℃）であり；Ｋは、下記の回帰式から得られる定数である。
【００９０】
Ｙ＝Ｋ（Ｔ−23）
Ｙ＝（23℃で測定した［３−ＨＢＡ］）−（Ｔで測定した［３−ＨＢＡ］）
Ｋの値を計算するには、複数の３−ＨＢＡ濃度それぞれを、各種温度Ｔおよび23℃（基礎値）で測定器によって測定する。次に、Ｔ−23に関するＹの線形回帰を行う。Ｋの値は、その回帰の傾きである。
【００９１】
本発明のテストストリップを利用する本発明の方法によって、サンプルの３−ＨＢＡ濃度を測定することができる。さらに、ヒト全血サンプルを測定する場合、ヘマトクリット効果による誤差は、約30〜55％のヘマトクリット範囲では有意性がない。
【００９２】
以上、触媒量の酵素存在下に酸化されるアナライトおよび還元されるメディエータによって本発明を説明した。しかしながら、本発明、試薬および方法を用いて、触媒量の酵素（例：レダクターゼ）存在下にアナライトを還元し還元型メディエータを酸化する流体サンプル中のアナライト濃度を測定してもよい。アナライト、酵素および還元型メディエータが関与する反応が完結した後に、電極間に電位差を印加する。対極（この場合、カソードではなくアノード）での還元型メディエータの量および印加する電位差は、作用電極（この場合、アノードではなくカソード）表面での酸化型メディエータの拡散律速電気還元を起こすのに充分なものでなければならない。作用電極表面での酸化型メディエータの還元によって生じる拡散律速電流を、分析サンプル中のアナライト濃度と関係付ける。
【００９３】
以上、ある種の好ましい実施形態を参照しながら本発明について詳細に説明したが、添付の特許請求の範囲に記載および定義される本発明の範囲および精神の範囲内で、変更および改良が存在することは明らかであろう。
【図面の簡単な説明】
【００９４】
【図１】第１の絶縁基板、第１の絶縁基板上に乗るように形成された複数の導電路、前記導電路と位置を合せて配置された試験試薬、第２の絶縁基板、親水性コーティングおよび天板を有するストリップを示すテストストリップの分解斜視図である。
【図２】図１のテストストリップの斜視図である。
【図３】第１の絶縁基板と第２の絶縁基板の間における電極、試薬および親水性フィルムの相対的配置を示す、図２の２８−２８線での断面図である。
【図４】一体となってテストチャンバを定める天板、親水性フィルム、第２の基板の第２の開口の縁部および第１の絶縁基板ならびにテストチャンバ内に配置された試薬を示す、図２の２９−２９線での断面図である。
【図５】テストストリップの異なるロットについての較正曲線を示すグラフである。
【図１】
2007147638.tif 000004
【図２】
2007147638.tif 000005
【図３】
2007147638.tif 000006
【図４】
2007147638.tif 000007
【図５】
2007147638.tif 000008